(57)【要約】【課題】機器を室内への突出量を抑えて内装パネルに設けることができ、尚且つ強度の高いパネル装置を提供することを課題とする。【解決手段】正面視矩形状の内装パネル２を備える。内装パネル２は、上部領域６と、下部領域７と、これら両領域６、７間に位置する機器配置領域８とで構成される。機器配置領域８の左右方向の両端部は上部領域６と下部領域７を接続する縦長の端部接続部１０で構成される。機器配置領域８の前記両側の端部接続部１０の間に、左右に長い機器嵌込孔５がその開口部分が内装パネル２の左右方向の略全長に亘るように１個又は左右に複数個並べて形成される。機器嵌込孔５に左右に長い機器４が嵌め込まれる。【選択図】        図１
2010127047.tif 000002
【特許請求の範囲】
【請求項１】
正面視矩形状の内装パネルを備え、該内装パネルは、上部領域と、下部領域と、これら両領域の間に位置する機器配置領域とで構成され、前記機器配置領域の左右方向の両端部は上部領域と下部領域を接続する縦長の端部接続部で構成され、機器配置領域の前記両側の端部接続部の間に、左右に長い機器嵌込孔がその開口部分が内装パネルの左右方向の略全長に亘るように１個又は左右に複数個並べて形成され、機器嵌込孔に左右に長い機器が嵌め込まれて成ることを特徴とするパネル装置。
【請求項２】
前記機器嵌込孔の左右方向の途中の上下両端部に、該上下両端部を接続していた仮連結部を切除することによって形成された切除跡が存在することを特徴とする請求項１に記載のパネル装置。
【請求項３】
請求項１又は請求項２に記載のパネル装置が有する内装パネルを構成するのに用いるパネル基板であって、前記内装パネルの上部領域、下部領域、及び両側の端部接続部を備え、両側の端部接続部の間における前記機器嵌込孔が形成される領域に、前記上部領域と下部領域を接続する仮連結部が１個又は左右に複数個形成され、該仮連結部の上下両端部に切断具の刃部をガイドするための左右に延びる刃部ガイド溝が形成されることを特徴とするパネル基板。
【発明の詳細な説明】
【技術分野】
【０００１】
本発明は内装材を構成するパネル装置及び該パネル装置の内装パネルを構成するために用いるパネル基板に関する。
【背景技術】
【０００２】
トイレ室の壁を構成する内装パネルには、電気装置のコントローラー等の機器を設ける場合がある。
【０００３】
ところで、前記機器を内装パネルの表面に金具等を用いて取り付けた場合、機器の壁面からの突出量が大きくなり、機器が部屋を使用する人にとって邪魔になる。また、部屋の見栄えを低下させる。また、例えば特許文献１に示すようにトイレ室に設置されるカウンターやキャビネットに機器が設けられる場合もあるが、この場合は、カウンターやキャビネットが邪魔になる。
【０００４】
また、内装パネルに機器配置用孔を穿設して、この孔の内側に機器を配設することもあり、この場合は、内装パネルに機器の一部を挿入するため、前記機器の室内への突出量を抑えることができる。
【０００５】
しかし、このようにしたとしても、機器の前後長さが長い場合には、機器が室内へ大きく突出する。また、このように内装パネルに機器配置用孔を形成した場合、内装パネルの強度が低下する。このため、特に前記機器の前後長さを短くするために機器を横長とした場合には、内装パネルに横長の機器配置用孔を形成する必要があり、この部分を境にして内装パネルが折れ曲がる恐れがある。
【特許文献１】特開２００８−２３７７７４号公報
【発明の開示】
【発明が解決しようとする課題】
【０００６】
本発明は上記従来の問題点に鑑みてなされたものであって、機器を室内への突出量を抑えて内装パネルに設けることができ、尚且つ強度の高いパネル装置を提供することを課題とする。
【課題を解決するための手段】
【０００７】
上記課題を解決するために本発明のパネル装置は、正面視矩形状の内装パネル２を備え、該内装パネル２は、上部領域６と、下部領域７と、これら両領域６、７の間に位置する機器配置領域８とで構成され、前記機器配置領域８の左右方向の両端部は上部領域６と下部領域７を接続する縦長の端部接続部１０で構成され、機器配置領域８の前記両側の端部接続部１０の間に、左右に長い機器嵌込孔５がその開口部分が内装パネル２の左右方向の略全長に亘るように１個又は左右に複数個並べて形成され、機器嵌込孔５に左右に長い機器４が嵌め込まれて成ることを特徴とする。
【０００８】
本発明において、前記機器嵌込孔５の左右方向の途中の上下両端部に、該上下両端部を接続していた仮連結部１７を切除することによって形成された切除跡が存在することが好ましい。
【０００９】
また、本発明のパネル基板は、請求項１又は請求項２に記載のパネル装置１が有する内装パネル２を構成するのに用いるパネル基板１５であって、前記内装パネル２の上部領域６、下部領域７、及び両側の端部接続部１０を備え、両側の端部接続部１０の間における前記機器嵌込孔５が形成される領域に、前記上部領域６と下部領域７を接続する切除可能な仮連結部１７が１個又は左右に複数個形成されると共に、該仮連結部１７の上下両端部に切断具の刃部をガイドするための左右に延びる刃部ガイド溝１８が形成されることを特徴とする。
【発明の効果】
【００１０】
請求項１に係る発明では、内装パネルの機器嵌込孔に機器を嵌め込むことで、機器を室内への突出量を抑えて内装パネルに設けることができる。しかも、機器を横長とすることで機器の前後長さを短くして機器の室内への突出量をさらに抑えることができる。また、内装パネルの上下方向の途中に内装パネルの幅方向の略全長に亘って機器を設けたものでありながら、機器嵌込孔に嵌め込んだ左右に長い機器により、該機器嵌込孔が形成された機器配置領域の部分を補強することができ、パネル装置の変形を防止できる。
【００１１】
また、請求項２に係る発明では、内装パネルの仮連結部を切除する前の段階においては、両側の端部接続部に加えて仮連結部によっても上部領域と下部領域を接続し、機器配置領域を補強することができる。したがって、例えば施工現場において内装パネルに機器を設ける場合に、内装パネルを仮連結部を切除する前の状態（すなわち実施例におけるパネル基板）で施工現場に搬送すれば、該搬送時における内装パネルの変形を防止することができる。
【００１２】
また、請求項３に係る発明では、刃部ガイド溝を利用して鋸等からなる切除具の刃部にて仮連結部を切除することで、前記機器嵌込孔を有する内装パネルを形成できる。また、パネル基板は上部領域と下部領域を、両側の端部接続部に加えて仮連結部によっても接続されているため、強度が高く、搬送時においてパネル基板の変形を防止することができる。
【発明を実施するための最良の形態】
【００１３】
以下、本発明の実施形態の一例を添付図面に基づいて説明する。なお、以下では、矩形状の内装パネル２の任意の一辺に沿う方向を上下方向、前記内装パネルの一辺と直交して隣接する辺に沿う方向を左右方向、内装パネル２の室内側を前方と定義して説明する。
【００１４】
図１に示すように、本実施例のパネル装置１は、建物の内装材を構成する内装パネル２と、内装パネル２に機能を付加して内装パネル２を機能パネルとして利用するための機能部３と、内装パネル２に形成された機器嵌込孔５に嵌め込まれた状態で取付けられる機器４とで構成されている。
【００１５】
内装パネル２は、図２のように、正面視縦長長方形状でトイレ室等の部屋の壁を構成する壁パネルであって、長さ方向を上下方向と平行にした状態で、下地板や、間柱、胴縁等からなる壁下地に釘等の固着具を用いて取り付けられる。
【００１６】
図１のように、内装パネル２は、上部領域６と、下部領域７と、機器配置領域８とで構成されている。上部領域６と下部領域７は左右方向の長さが同じ正面視矩形板状に形成されている。上部領域６の上下寸法は下部領域７の上下寸法よりも長く、領域６、７の間に位置する機器配置領域８は内装パネル２の下寄りに位置している。また、上部領域６、下部領域７、及び機器配置領域８の夫々の厚みは同一であり、これら三者の前面及び後面は夫々面一に連続している。
【００１７】
上部領域６と下部領域７には機能部３を構成する電気ヒーター３ａが夫々内蔵されている。つまり、本実施例の内装パネル２は暖房機能を付加した暖房パネルであって、各ヒーター３ａに通電することにより、パネル装置１が設置された部屋の暖房を行えるようになっている。
【００１８】
機器配置領域８の左右方向の両端部は、上部領域６と下部領域７とを一体に接続する縦長の端部接続部１０で構成されている。
【００１９】
機器配置領域８の両側の端部接続部１０の間の部位には、左右に長い長方形状の機器嵌込孔５が内装パネル２の左右方向の略全長に亘るように左右に複数個並べて形成されている。
【００２０】
本実施例では、機器嵌込孔５を左右に２個並べて形成してある。両機器嵌込孔５の間の部位は、上部領域６と下部領域７とを一体に接続する縦長の中間接続部１１で構成されている。すなわち、機器配置領域８は、既述の端部接続部１０と、中間接続部１１とで構成されている。
【００２１】
各機器嵌込孔５には機器４が嵌め込まれる。本実施例では、２個の機器４のうち、一方が部屋の脱臭を行う脱臭装置４ａで構成されると共に、他方が前面に前記電気ヒータ（機能部３）を手動制御するための操作部１４が設けられたコントローラー４ｂで構成されている。
【００２２】
各機器４は機器嵌込孔５に嵌め込まれる嵌込部分１２が横長の長方形状に形成されている。各機器４の嵌込部分１２は機器嵌込孔５の左右方向及び上下方向の全長に亘り、隙間なく機器嵌込孔５に嵌め込まれる。
【００２３】
各機器４の前端部は嵌込部分１２よりも外方に膨大した横長長方形状の膨大部１３となっている。各機器４は対応する機器嵌込孔５に前側から挿入され、膨大部１３の周縁部背面を機器嵌込孔５の周縁部前面に当接した状態で機器嵌込孔５に嵌め込まれる。つまり、各機器４は膨大部１３からなる前端部のみが内装パネル２の前面より前方に突出した状態で機器嵌込孔５に嵌め込まれる。
【００２４】
図２のように、内装パネル２に各機器４を取り付けた状態では、隣り合う機器４の膨大部１３の側端面が隙間なく対向し、隣り合う機器４があたかも連続した１個の機器のような外観となる。
【００２５】
このように、内装パネル２に形成された各機器嵌込孔５に機器４を嵌め込むことにより、機器４を内装パネル２の前面からの突出量を抑えて内装パネル２に取り付けることができ、また、室内にカウンターやキャビネットを設置する必要もない。
【００２６】
さらには、各機器嵌込孔５に嵌め込まれた左右に長い機器４により、内装パネル２の幅狭の端部接続部１０と中間接続部１１とで構成された比較的強度の低い機器配置領域８を補強して内装パネル２が機器配置領域８において折れ曲がる等することを防止でき、パネル装置１の強度を高めることができる。
【００２７】
ところで、前記各機器４を機器嵌込孔５に嵌め込んで内装パネル２に取り付ける作業をパネル装置１を立設する施工現場において行う場合等には、内装パネル２を単独で現場まで搬送する場合があるが、この場合、搬送時において内装パネル２が比較的強度の低い機器配置領域８を境にして折れ曲がる恐れがある。
【００２８】
このため、本例の内装パネル２は、図３に示すパネル基板１５を施工現場まで搬送し、該パネル基板１５の一部を切除具１６（切断具）を用いて切除することにより形成されるようになっている。
【００２９】
図３に示すように、パネル基板１５は、既述の上部領域６、下部領域７、及び機器配置領域８からなる内装パネル２を構成する部分に加えて、各機器嵌込孔５を構成する部分の左右方向の途中の上下両端部を一体に接続した仮連結部１７を備えたものである。パネル基板１５と内装パネル２は、構成上パネル基板１５が前記仮連結部１７を備えている点のみが異なるものであり、したがって、パネル基板１５における内装パネル２と同一の構成については、同一の符号を付して説明を省略する。
【００３０】
パネル基板１５の上部領域６と下部領域７を接続する各仮連結部１７は正面視で左右に長い長方形状に形成されている。また、各仮連結部１７と端部接続部１０の間及び各仮連結部１７と中間接続部１１の間の夫々には矩形状の孔部１９が形成されている。
【００３１】
各仮連結部１７の厚みは、上下両端部を除いて、上部領域６の厚み、下部領域７の厚み、及び機器配置領域８の厚みと同一であり、各仮連結部１７の前面及び後面は前記内装パネル２を構成する部分の前面及び後面の夫々と前後方向において同位置に配置されている。また、各仮連結部１７の前面の上端部及び下端部には鋸１６ａの刃部を挿入するための刃部ガイド溝１８が左右方向に亘って形成されている。
【００３２】
前記パネル基板１５の機器配置領域８を構成する部分は各仮連結部１７にて補強される。このため、パネル基板１５を施工現場まで搬送するときに機器配置領域８を構成する部分で折れ曲がって変形等することを防止できる。
【００３３】
前記施工現場まで搬送したパネル基板１５を加工して内装パネル２とするには切除具１６を用いて各仮連結部１７を切除して、各仮連結部１７の両側の孔部１９を連通させ、パネル基板１５に機器嵌込孔５を形成する。
【００３４】
各仮連結部１７を切除するには、例えば図４に示すように、切除具１６として鋸１６ａを用いて仮連結部１７の上端部と下端部を切断し、これにより図中多数のドットを付した示した仮連結部１７を切除する。この際、仮連結部１７の外側方に位置する孔部１９に鋸１６ａの刃部を挿入したり、刃部ガイド溝１８内において鋸１６ａの刃部をスライドさせて当該刃部ガイド溝１８を鋸１６ａのガイドとして利用したりでき、これによって仮連結部１７を鋸１６ａにて容易に切除することができる。また、刃部ガイド溝１８はパネル基板１５の前面側に形成されているため、仮連結部１７を鋸１６ａで切断した時の切断跡が内装パネル２の後側に位置する。このため、前記切断跡が室内側から視認し難くなり、外観を向上できる。
【００３５】
このように内装パネル２はパネル基板１５の各仮連結部１７を切除することで形成されるため、各機器嵌込孔５の左右方向の途中の上下両端部には、該上下両端部を接続していた仮連結部１７を切除することによって形成された切除跡（すなわち前記切断跡）が存在することとなる。
【００３６】
そして、このように現場施工により形成された内装パネル２の各機器嵌込孔５に前述のように対応する機器４を嵌め込むことにより、パネル装置１が構成されることとなる。
【００３７】
次に前記一例のパネル装置１とは異なる他例のパネル装置について説明する。なお、なお、以下の説明では一例のパネル装置１と同一の構成については同一の番号を付与し、重複する説明は省略する。
【００３８】
本例の内装パネル２は、図５及び図６に示すように、両側の端部接続部１０及び中間接続部１１を上部領域６や下部領域７と別体にしており、各端部接続部１０の上下両端部及び中間接続部１１の上下両端部を接着剤等を用いて上部領域６及び下部領域７に接合することによって、上部領域６と下部領域７を接続するようにしている。
【００３９】
これにより、施工現場までは図６のように各部を分割して搬送し、この後、各部を組み立てて内装パネル２を形成することができ、搬送時において内装パネル２が変形することを防止できる。
【００４０】
なお、前記各例の機能部３はヒーター３ａに限られるものではなく、照明装置等の他の装置であっても良い。また、内装パネル２には機能部３を設けなくても良い。
【００４１】
また、前記各例では、機器配置領域８に２個の機器嵌込孔５を形成したが、機器嵌込孔５は１個又は３個以上設けられるものであっても良い。つまり、機器嵌込孔５が１個だけ設けられる場合には、両側の端部接続部１０の間の部位の全てが機器嵌込孔５となる。また、機器嵌込孔５が３個以上設けられる場合には、隣り合う機器嵌込孔５の間の部位の夫々が上部領域６と下部領域７とを一体に接続する縦長の中間接続部１１で構成され、この場合は両側の端部接続部１０の間の部位の左右方向の略全長に亘る部位（すなわち中間接続部１１を除く部分）が機器嵌込孔５となる。
【００４２】
また、各例における機器４は前記脱臭装置４ａやコントローラー４ｂ以外の電気機器等で構成しても良い。また、各例における各機器４は内装パネル２に取り付けた状態で、内装パネル２よりも後方に突出するものであっても良いし、各機器４の後端が内装パネル２の背面より前方に位置するものとしても良い。
【００４３】
また、図３に示すパネル基板１５には各機器嵌込孔５に１個の仮連結部１７を設けたが、複数の仮連結部１７を左右方向に離間して設けても良い。
【００４４】
また、前記各例のパネル装置１は壁を構成するものであるが、天井等、その他の内装材を構成するものであっても良い。
【図面の簡単な説明】
【００４５】
【図１】本発明の実施の形態の一例のパネル装置の斜視図である。
【図２】同上のパネル装置の分解斜視図である。
【図３】同上のパネル基板の斜視図である。
【図４】同上のパネル基板の仮連結部を切除方法を示した説明図である。
【図５】他例のパネル装置の内装パネルの斜視図である。
【図６】同上の内装パネルの分解斜視図である。
【符号の説明】
【００４６】
１  パネル装置
２  内装パネル
５  機器嵌込孔
６  上部領域
７  下部領域
８  機器配置領域
１０  端部接続部
１７  仮連結部
【図１】
2010127047.tif 000003
【図２】
2010127047.tif 000004
【図３】
2010127047.tif 000005
【図４】
2010127047.tif 000006
【図５】
2010127047.tif 000007
【図６】
2010127047.tif 000008